(57)【要約】【課題】手すりベルトの裏面を自動的に能率よく清掃して、人手に依ることなく手すりベルトの駆動能力を常に適正に保つことができる乗客コンベアの手すりベルト清掃装置を提供する。【解決手段】無限循環移動する手すりベルト１４を備える乗客コンベアにおいて、手すりベルト１４の移動に応じて回転する摩擦ローラ３０と、手すりベルト１４の裏面に接触し、摩擦ローラ３０の回転による駆動力で回転することにより手すりベルトの裏面を擦ってその裏面の汚れを落とす清掃ローラ３４とを具備する。清掃ローラ３４は、周面に多数のブラシ毛３４ａを有するブラシ型ローラであって、手すりベルト１４の移動方向とは逆方向に回転することにより、手すりベルト１４の裏面を擦ってその汚れを落とす。【選択図】    図２
2010111466.tif 000002
【特許請求の範囲】
【請求項１】
無限循環移動する手すりベルトを備える乗客コンベアにおいて、
前記手すりベルトの移動に応じて回転する摩擦ローラと、
前記手すりベルトの裏面に接触し、前記摩擦ローラの回転による駆動力で回転することにより前記手すりベルトの裏面を擦ってその裏面の汚れを落とす清掃ローラと、
を具備することを特徴とする乗客コンベアの手すりベルト清掃装置。
【請求項２】
前記清掃ローラは、前記手すりベルトの移動方向とは逆方向に回転することを特徴とする請求項１に記載の乗客コンベアの手すりベルト清掃装置。
【請求項３】
前記清掃ローラは、周面に多数のブラシ毛を有するブラシ型ローラであることを特徴とする請求項１又は２に記載の乗客コンベアの手すりベルト清掃装置。
【請求項４】
前記清掃ローラは、前記手すりベルトに対する接触圧の調整が可能であることを特徴とする請求項１、２又は３に記載の乗客コンベアの手すりベルト清掃装置。
【発明の詳細な説明】
【技術分野】
【０００１】
この発明は、エスカレータや動く歩道などの乗客コンベアに備えられている手すりベルトを自動的に清掃する手すりベルト清掃装置に関する。
【背景技術】
【０００２】
エスカレータや動く歩道などの乗客コンベアにおいては、乗客が乗るステップと同期して無限循環移動する手すりベルトが設けられ、ステップに乗った乗客がその手すりベルトに手を添えて身体を支えるようになっている。
手すりベルトは、ゴムなどの弾性材で無端状に形成され、ステップの両側の欄干の縁部に走行可能に装着され、それぞれ駆動装置により欄干に沿って無限循環移動するように駆動される。手すりベルトの駆動装置は、駆動ローラを備え、この駆動ローラが手すりベルトの裏面に圧接され、その摩擦力で手すりベルトに駆動ローラの回転動力が伝えられ、手すりベルトがその長手方向に走行する。
ところで、手すりベルトは時間の経過とともに徐々に汚れてくる。このため、特開２００７−３１４２９８公報に見られるように、手すりベルトの表面に清掃具を接触させ、その清掃具で自動的に手すりベルトの表面を清掃するような手段が採られる。
【特許文献１】特開２００７−３１４２９８公報
【発明の開示】
【発明が解決しようとする課題】
【０００３】
手すりベルトの表面を清掃する目的は、手すりベルトの表面はステップに乗る乗客が直接手で触れる部分であるから、乗客が不快感をもたないようにその表面を汚れのない綺麗な状態に保つためである。
【０００４】
しかしながら、手すりベルトはその裏面も徐々に汚れてくる。手すりベルトの多くは、裏面に補強用のキャンバス材（ズック材）が裏打ちされており、このため滑らかな表面よりも汚れやすい。
【０００５】
手すりベルトを駆動する駆動ローラは手すりベルトの裏面に圧接され、その圧接による摩擦力で手すりベルトを駆動しており、したがって手すりベルトの裏面が汚れてくるとその摩擦力が低減し、所定の速度で手すりベルトを走行させる駆動能力が低下してしまう。
このため、従来では、エスカレータの定期点検時などに、エスカレータの運転を止め、手すりベルトを欄干から外し、裏面側を表に向けて手作業で手すりベルトの裏面の汚れを落とすようにしている。  
しかしながら、このような手段では、作業に多大な労力と時間を要し、能率性が悪く、コストもかかってしまう。
この発明はこのような点に着目してなされたもので、その目的とするところは、手すりベルトの裏面を自動的に能率よく清掃して、人手に依ることなく手すりベルトの駆動能力を常に適正に保つことができる乗客コンベアの手すりベルト清掃装置を提供することにある。
【課題を解決するための手段】
【０００６】
このような目的を達成するために、請求項１の発明は、無限循環移動する手すりベルトを備える乗客コンベアにおいて、前記手すりベルトの移動に応じて回転する摩擦ローラと、前記手すりベルトの裏面に接触し、前記摩擦ローラの回転による駆動力で回転することにより前記手すりベルトの裏面を擦ってその裏面の汚れを落とす清掃ローラとを具備することを特徴としている。
【０００７】
請求項２の発明は、前記清掃ローラが、前記手すりベルトの移動方向とは逆方向に回転することを特徴としている。
【０００８】
請求項３の発明は、前記清掃ローラが、周面に多数のブラシ毛を有するブラシ型ローラであることを特徴としている。
【０００９】
請求項４の発明は、前記清掃ローラの前記手すりベルトに対する接触圧の調整が可能であることを特徴としている。
【発明の効果】
【００１０】
この発明によれば、手すりベルトの裏面を自動的に能率よく清掃して、人手に依ることなく手すりベルトの駆動能力を常に適正に保つことができる。
【発明を実施するための最良の形態】
【００１１】
以下、この発明の実施の形態について図面を参照して説明する。
【００１２】
図１には乗客コンベアとしてのエスカレータの全体の構成を示してある。このエスカレータは、建屋の下階と上階との間に斜めに架設されたトラス１を備え、このトラス１内の上階側端部に駆動源としてのモータ２と駆動輪３が設けられている。モータ２と駆動輪３との間にはチェーン４が掛け渡され、モータ２の回転動力がそのチェーン４を介して駆動輪３に伝達され、駆動輪３が回転する。
【００１３】
トラス１内の下階側端部には従動輪７が設けられ、この従動輪７と前記駆動輪３との間に無端状の搬送用チェーン８が掛け渡され、この搬送用チェーン８に多数のステップ９がトラス１の長手方向に並んで連なるように取り付けられている。そして駆動輪３が回転することにより搬送用チェーン８が各ステップ９と一体的にトラス１の下階側から上階側に、あるいは上階側から下階側に向って無限循環移動し、そのステップ９の上に乗った乗客が下階側から上階側に、あるいは上階側から下階側に搬送される。
【００１４】
トラス１の上部両側には、デッキ１２を介して欄干１３が取り付けられ、この欄干１３とデッキ１２との間に渡って無端状の手すりベルト１４が掛け合わされている。手すりベルト１４は、断面がほぼＣ字状をなし、欄干１３の上縁部に沿うように摺動可能に装着され、デッキ１２の内部にその手すりベルト１４を駆動する駆動ローラ１５が設けられている。
【００１５】
駆動ローラ１５は手すりベルト１４のＣ字状の内側となる裏面に圧接され、この駆動ローラ１５と駆動輪３との間にチェーン１６が巻き掛けられ、駆動輪３と連動して駆動ローラ１５が回転し、この駆動ローラ１５の回転で手すりベルト１４が前記各ステップ９と同期して無限循環移動する。
デッキ１２の例えば下階側端部の内側には、手すりベルト１４を清掃するための清掃装置２０が設けられている。図２には清掃装置２０の全体の斜視図を、図３には清掃装置２０の主要部の断面図を、図４には清掃装置２０の正面図をそれぞれ示してある。
【００１６】
清掃装置２０は、図３に示すように枢軸２２を備え、この枢軸２２がトラス１の一部のフレーム材１ａに取り付け固定されている。枢軸２２は、手すりベルト１４の下側を通り、かつ手すりベルト１４の長手方向と直交する方向に延びている。
枢軸２２の基部には、図２及び図４に示すように短冊状のベース２６がフレーム材１ａと対向して取り付けられ、このベース２６の枢軸２２の反対側の端部に、その枢軸２２と並列して支持軸２７が取り付けられている。枢軸２２は手すりベルト１４の表面側に配置され、支持軸２７は手すりベルト１４の裏面側に配置され、枢軸２２と支持軸２７とが手すりベルト１４を隔てて互いに反対側に位置するように配置されている。
枢軸２２には、基部に駆動プーリ２９が、先端部に摩擦ローラ３０がそれぞれ回転自在に装着され、これら駆動プーリ２９と摩擦ローラ３０は、枢軸２２に回転自在に嵌合されたスリーブ３１を介して一体的に連結され、枢軸２２を中心にして一体的に回転する。
支持軸２７には、基部に従動プーリ３３が、先端部に清掃ローラ３４がそれぞれ回転自在に装着され、これら従動プーリ３３と清掃ローラ３４は、支持軸２７に回転自在に嵌合されたスリーブ３５を介して一体的に連結され、支持軸２７を中心にして一体的に回転する。
駆動プーリ２９と従動プーリ３３との間には、無端状の駆動ベルト３７が掛け渡され、この駆動ベルト３７を介して駆動プーリ２９の回転動力が従動プーリ３３に伝達され、従動プーリ３３と一体的に清掃ローラ３４が回転する。駆動ベルト３７としては、例えば駆動プーリ２９及び従動プーリ３３と接触する内周面に凹凸状の歯を有する歯付きベルトとなっている。
【００１７】
摩擦ローラ３０は摩擦係数の大きな材料、例えばゴムからなり、手すりベルト１４の表面に所定の圧力で接触するように圧接されている。清掃ローラ３４は周面に例えばナイロン製の多数のブラシ毛３４ａを有するブラシ型ローラで、手すりベルト１４の裏面に所定の圧力で接触するように圧接されている。そして、摩擦ローラ３０と清掃ローラ３４は手すりベルト１４を挟んで斜めに対向するように配置されている。
【００１８】
支持軸２７が取り付けられたベース２６は、枢軸２２を中心にして回動することが可能で、このベース２６の回動で清掃ローラ３４の位置を変えてその周面と手すりベルト１４の裏面との接触圧を調整することが可能となっている。すなわち、ベース２６には、枢軸２２を中心とする円弧状の長孔３９が形成され、この長孔３９を通してフレーム材１ａにボルト４０が螺挿され、このボルト４０の締付けによりベース２６がフレーム材１ａに固定されている。そしてボルト４０を緩め、ベース２６を枢軸２２を中心に回動することで、清掃ローラ３４の周面と手すりベルト１４の裏面との接触圧を調整することができるようになっている。
ベース２６には、図２に示すように、清掃ローラ３４の両側に位置して一対のごみ受皿４３，４４が設けられている。これらごみ受皿４３，４４は手すりベルト１４の内側に挿入され、清掃ローラ３４と手すりベルト１４との接触部に近接するようにフレーム材１ａに支持されている。
次に、作用について説明する。
【００１９】
エスカレータの上昇運転時には、各ステップ９及び手すりベルト１４が図２及び図４に示す矢印Ａ方向に移動する。そして、手すりベルト１４のＡ方向に移動で、摩擦ローラ３０が手すりベルト１４との摩擦力でＡ方向に回転し、この摩擦ローラ３０と一体的に駆動プーリ２９がＡ方向に回転し、さらにこの駆動プーリ２９の回転で従動プーリ３３及び清掃ローラ３４が一体的にＡ方向に回転する。
【００２０】
清掃ローラ３４の回転により、そのブラシ毛３４ａで手すりベルト１４の裏面が擦られ、その裏面の汚れが落とされる。このとき、手すりベルト１４はＡ方向に移動し、清掃ローラ３４はＡ方向に回転するが、そのＡ方向の移動とＡ方向の回転は互いに向き合う逆方向の関係にあり、このため清掃ローラ３４のブラシ毛３４ａにより手すりベルト１４の裏面が有効に擦られ、効率よくその裏面の汚れが落とされ、綺麗に清掃される。この際の汚れ屑はごみ受皿４４内に収容される。
【００２１】
他方、エスカレータの下降運転時には、各ステップ９及び手すりベルト１４が矢印Ｂ方向に移動する。そして、手すりベルト１４のＢ方向の移動で、摩擦ローラ３０が手すりベルト１４との摩擦力でＢ方向に回転し、この摩擦ローラ３０と一体的に駆動プーリ２９がＢ方向に回転し、さらにこの駆動プーリ２９の回転で従動プーリ３３及び清掃ローラ３４が一体的にＢ方向に回転し、清掃ローラ３４の回転で手すりベルト１４の裏面が清掃される。
【００２２】
このときにおいても、手すりベルト１４のＢ方向に移動と、清掃ローラ３４のＢ方向の回転は、互いに向う逆方向の関係にあり、このため清掃ローラ３４のブラシ毛３４ａにより手すりベルト１４の裏面が有効に擦られ、効率よくその裏面の汚れが落とされ、綺麗に清掃される。この際の汚れ屑はごみ受皿４３内に収容される。  
手すりベルト１４の清掃でごみ受皿４３，４４に汚れ屑が溜まったときには、エスカレータの運転を停止し、ごみ受皿４３，４４内から汚れ屑を除去して廃棄する。
【００２３】
このように、手すりベルト１４の裏面は、その手すりベルト１４の移動に応じて回転する清掃ローラ３４により自動的に効率よく清掃され、したがって手すりベルト１４を駆動するための駆動ローラ１５と手すりベルト１４との間の摩擦力を常に適正に保ち、駆動ローラ１５で手すりベルト１４を常に所定の速度で的確に走行させることができる。
清掃ローラ３４の周面のブラシ毛３４ａが摩耗するなどして清掃ローラ３４と手すりベルト１４の裏面との接触圧が低下したような場合には、ボルト４０を緩め、ベース２６を枢軸２２を中心に下方に回動し、清掃ローラ３４の周面を手すりベルト１４の裏面に押し付けてその接触圧を調整する。そして適正な接触圧に調整した後に、前記ボルト４０を締付け、ベース２６をフレーム材１ａに固定する。これにより清掃ローラ３４の周面と手すりベルト１４の裏面との接触圧を適正な圧力に保つことができる。
なお、この発明は、建屋の上下階に渡って斜めに設置されるエスカレータに適用する場合に限らず、各ステップが同一の平面上で移動してそのステップに乗った乗客を一方向に搬送する動く歩道などの乗客コンベアにおいても同様に適用することが可能であることは言うまでもない。
【図面の簡単な説明】
【００２４】
【図１】この発明の一実施形態に係る手すりベルト清掃装置を備えるエスカレータの全体の構成を示す図。
【図２】その清掃装置の全体の構造を示す斜視図。
【図３】その清掃装置の主要部の断面図。
【図４】その清掃装置の主要部の正面図。
【符号の説明】
【００２５】
１…トラス
１ａ…フレーム材
２…モータ
３…駆動輪
７…従動輪
８…搬送用チェーン
１２…デッキ
１３…欄干
１４…手すりベルト
１５…駆動ローラ
２０…清掃装置
２２…枢軸
２６…ベース
２７…支持軸
２９…駆動プーリ
３０…摩擦ローラ
３１…スリーブ
３３…従動プーリ
３４…清掃ローラ
３４ａ…ブラシ毛
３５…スリーブ
３７…駆動ベルト
３９…長孔
４０…ボルト
４３．４４…ごみ受皿
【図１】
2010111466.tif 000003
【図２】
2010111466.tif 000004
【図３】
2010111466.tif 000005
【図４】
2010111466.tif 000006